(57)【要約】【課題】小型化できるプロジェクターを提供すること。【解決手段】プロジェクター１は、外装を構成し、開口部を有する外装筐体２と、外装筐体２内に配置され、開口部２３１を介して画像を投射する投射レンズと、開口部２３１を開閉するレンズシャッター５と、を備え、レンズシャッター５は、少なくとも一部が重なって配置され、投射レンズによる画像の投射方向に直交する軸を中心とする回動方向に沿う開放方向に移動して開口部２３１を開放し、開放方向とは反対方向である閉塞方向に移動して開口部２３１の少なくとも一部を閉塞する第１羽根部材５１及び第２羽根部材５２を有し、開口部２３１を開放した状態の第１羽根部材５１及び第２羽根部材５２のそれぞれの重なり範囲は、開口部２３１を閉塞した状態の第１羽根部材５１及び第２羽根部材５２のそれぞれの重なり範囲よりも大きい。【選択図】図３
2016133755.tif 000002
【特許請求の範囲】
【請求項１】
外装を構成し、開口部を有する外装筐体と、
前記外装筐体内に配置され、前記開口部を介して画像を投射する投射レンズと、
前記開口部を開閉するシャッターと、を備え、
前記シャッターは、少なくとも一部が重なって配置され、前記投射レンズによる前記画像の投射方向に直交する軸を中心とする回動方向に沿う開放方向に移動して前記開口部を開放し、前記開放方向とは反対方向である閉塞方向に移動して前記開口部の少なくとも一部を閉塞する複数の羽根部材を有し、
前記開口部を開放した状態の前記複数の羽根部材のそれぞれの重なり範囲は、前記開口部を閉塞した状態の前記複数の羽根部材のそれぞれの重なり範囲よりも大きいことを特徴とするプロジェクター。
【請求項２】
請求項１に記載のプロジェクターにおいて、
前記投射レンズは、前記投射方向側の端縁が前記投射方向側に膨出した形状を有し、
前記複数の羽根部材の少なくともいずれかは、前記投射レンズの膨出部分に沿う形状を有することを特徴とするプロジェクター。
【請求項３】
請求項１又は請求項２に記載のプロジェクターにおいて、
前記外装筐体は、前記開口部が閉塞される位置にて前記複数の羽根部材を係止する係止部を有し、
前記複数の羽根部材のうち少なくともいずれかは、前記係止部により係止されて、前記開口部の閉塞状態を維持する係合部を有することを特徴とするプロジェクター。
【請求項４】
請求項１から請求項３のいずれか一項に記載のプロジェクターにおいて、
前記複数の羽根部材は、
前記投射レンズ側に配置される第１羽根部材と、
前記第１羽根部材に対して前記投射レンズとは反対側に配置される第２羽根部材と、を含み、
前記第１羽根部材は、操作部を有し、
前記操作部は、前記第１羽根部材を前記開放方向に移動させる際に、前記第２羽根部材に当接して、前記第２羽根部材を前記開放方向に移動させることを特徴とするプロジェクター。
【請求項５】
請求項４に記載のプロジェクターにおいて、
前記第１羽根部材は、当該第１羽根部材の前記開放方向側の端部に前記第２羽根部材に当接可能な当接部を有し、
前記第２羽根部材は、当該第２羽根部材の前記閉塞方向側の端部に位置し、前記第１羽根部材が前記閉塞方向に移動される際に、前記当接部が当接して前記第２羽根部材を前記閉塞方向に移動させる被当接部を有することを特徴とするプロジェクター。
【請求項６】
請求項１から請求項５のいずれか一項に記載のプロジェクターにおいて、
前記投射レンズは、前記投射方向側から見て円の一端側が切り欠かれた形状を有し、
前記複数の羽根部材は、前記投射方向側から見て前記一端側の位置に収納されて、前記開口部を開放することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、当該画像をスクリーン等の被投射面上に拡大投射する投射光学装置とを備えたプロジェクターが知られている。このようなプロジェクターとして、外部に露出する投射光学装置を保護するシャッターを備えたプロジェクターが知られている（例えば、特許文献１参照）。
【０００３】
この特許文献１に記載のプロジェクターは、投射光学装置（投射レンズ）等を内部に収納する外装筐体を備え、当該外装筐体は、投射光学装置を露出させる開口部と、当該開口部を開閉する板状のシャッターとを備える。このシャッターは、外装筐体において当該開口部が形成された面に沿って移動可能に構成されている。このシャッターが一方に移動されると、開口部が開放されて投射光学装置が露出され、これにより、画像を被投射面上に投射可能な状態となる。また、シャッターが他方に移動されると、開口部が閉塞され、これにより、投射光学装置を保護できる。
【先行技術文献】
【特許文献】
【０００４】
【特許文献１】特開２０１０−２６２１２４号公報
【発明の概要】
【発明が解決しようとする課題】
【０００５】
ところで、特許文献１に記載のプロジェクターでは、板状のシャッターは、開口部が形成された面に沿って移動可能に構成されている。このため、開口部より大きな板状のシャッターを退避させるスペースを外装筐体に設ける必要があり、プロジェクターの小型化を図りづらい。
また、外装筐体において上記開口部が形成された面には、例えば、排気口やリモコンからの信号を受信する受信部が設けられる場合がある。この場合、上記スペースを確保すると、当該排気口及び受信部の配置位置に制約が加わって、プロジェクターを小型化しづらいという問題がある。
特に、短焦点型のプロジェクターでは、画像の投射方向側に膨出した形状を有する投射レンズが採用される場合がある。このような投射レンズの形状に合わせた１つのシャッターを移動させる構成では、当該シャッターを退避するスペースをより大きくする必要があり、プロジェクターの小型化が図りづらいという問題が顕著となる。
【０００６】
本発明は、上記課題の少なくとも一部を解決することを目的としたものであり、小型化できるプロジェクターを提供することを目的の１つとする。
【課題を解決するための手段】
【０００７】
本発明の一態様に係るプロジェクターは、外装を構成し、開口部を有する外装筐体と、前記外装筐体内に配置され、前記開口部を介して画像を投射する投射レンズと、前記開口部を開閉するシャッターと、を備え、前記シャッターは、少なくとも一部が重なって配置され、前記投射レンズによる前記画像の投射方向に直交する軸を中心とする回動方向に沿う開放方向に移動して前記開口部を開放し、前記開放方向とは反対方向である閉塞方向に移動して前記開口部の少なくとも一部を閉塞する複数の羽根部材を有し、前記開口部を開放した状態の前記複数の羽根部材のそれぞれの重なり範囲は、前記開口部を閉塞した状態の前記複数の羽根部材のそれぞれの重なり範囲よりも大きいことを特徴とする。
【０００８】
なお、上記複数の羽根部材としては、２枚の羽根部材の他、３枚以上の羽根部材を例示できる。
上記一態様によれば、シャッターを構成する複数の羽根部材は、上記開口部を開放する際に、当該開口部を閉塞する場合に互いに重なる範囲より大きな範囲にて重なって収納されることとなる。これによれば、外装筐体において上記複数の羽根部材が収納されるスペースを小さくできる。従って、プロジェクターを小型化できる。
【０００９】
上記一態様では、前記投射レンズは、前記投射方向側の端縁が前記投射方向側に膨出した形状を有し、前記複数の羽根部材の少なくともいずれかは、前記投射レンズの膨出部分に沿う形状を有することが好ましい。
上記一態様によれば、複数の羽根部材が投射レンズの膨出部分に沿う形状（例えば円弧状）に形成され、これら羽根部材は、上記回動方向に沿って移動する。これによれば、上記板状のシャッターが用いられる場合に比べて、投射レンズにおける投射方向側の面と各羽根部材との距離を短縮できる。従って、これら投射レンズ及びシャッターを収納する外装筐体（特に投射レンズ近傍の外装筐体）を小さくできる。
【００１０】
上記一態様では、前記外装筐体は、前記開口部が閉塞される位置にて前記複数の羽根部材を係止する係止部を有し、前記複数の羽根部材のうち少なくともいずれかは、前記係止部により係止されて、前記開口部の閉塞状態を維持する係合部を有することが好ましい。
上記一態様によれば、外装筐体が有する係止部と、複数の羽根部材の少なくともいずれかが有する係合部とにより、開口部の閉塞状態を維持できる。従って、開口部をシャッターにより確実に閉塞できる。
【００１１】
上記一態様では、前記複数の羽根部材は、前記投射レンズ側に配置される第１羽根部材と、前記第１羽根部材に対して前記投射レンズとは反対側に配置される第２羽根部材と、を含み、前記第１羽根部材は、操作部を有し、前記操作部は、前記第１羽根部材を前記開放方向に移動させる際に、前記第２羽根部材に当接して、前記第２羽根部材を前記開放方向に移動させることが好ましい。
【００１２】
なお、操作部は、第１羽根部材を上記閉塞方向又は上記開放方向に移動させる際に使用者によって操作されるつまみを例示できる。
例えば、第２羽根部材が第１羽根部材より投射レンズ側に位置している場合、第１羽根部材に配置された操作部を上記開放方向に移動させたとしても、当該操作部は、第２羽根部材に当接しない。このため、当該第２羽根部材を第１羽根部材と同方向に移動させるためには、当該第２羽根部材に当接する構成を第１羽根部材に別途設ける必要がある。
これに対し、上記一態様によれば、第１羽根部材が第２羽根部材より投射レンズ側に位置し、当該第１羽根部材が有する操作部が、第２羽根部材に当接するので、当該操作部を操作することにより、第２羽根部材を上記開放方向に移動させることができる。従って、第１羽根部材の構成を簡略化できるだけでなく、第１羽根部材の上記開放方向への移動に伴って第２羽根部材を同方向に確実に移動させることができる。
【００１３】
上記一態様では、前記第１羽根部材は、当該第１羽根部材の前記開放方向側の端部に前記第２羽根部材に当接可能な当接部を有し、前記第２羽根部材は、当該第２羽根部材の前記閉塞方向側の端部に位置し、前記第１羽根部材が前記閉塞方向に移動される際に、前記当接部が当接して前記第２羽根部材を前記閉塞方向に移動させる被当接部を有することが好ましい。
上記一態様によれば、第１羽根部材を上記閉塞方向に移動させると、第１羽根部材の当接部が第２羽根部材の被当接部に当接する。これによれば、第１羽根部材の上記閉塞方向への移動に伴って第２羽根部材を同方向に確実に移動させることができる。
【００１４】
上記一態様では、前記投射レンズは、前記投射方向側から見て円の一端側が切り欠かれた形状を有し、前記複数の羽根部材は、前記投射方向側から見て前記一端側の位置に収納されて、前記開口部を開放することが好ましい。
上記一態様によれば、複数の羽根部材は、上記投射方向側から見て、投射レンズの形状における切欠側の位置に収納される。これによれば、外装筐体において使用されないスペースに当該複数の羽根部材を配置できる。従って、外装筐体内のデッドスペースを活用して複数の羽根部材を収納できるので、外装筐体の小型化を促進でき、ひいては、プロジェクターの小型化を促進できる。
【図面の簡単な説明】
【００１５】
【図１】本発明の一実施形態に係るプロジェクターを正面部側から見た斜視図。
【図２】上記実施形態に係るプロジェクターの光学系を示す模式図。
【図３】上記実施形態に係る開口部が閉塞された状態のプロジェクターを正面部側から見た斜視図。
【図４】上記実施形態に係る開口部を閉塞する状態のレンズシャッターを正面部側から見た平面図。
【図５】上記実施形態に係る開口部を開放する状態のレンズシャッターを正面部側から見た平面図。
【図６】上記実施形態に係るレンズシャッターが収納領域に収納された状態のプロジェクターを正面部側から見た平面図。
【図７】上記実施形態に係る開口部が閉塞された状態のプロジェクターを右側面部側から見た断面図。
【図８】上記実施形態に係る開口部が開放された状態のプロジェクターを右側面部側から見た断面図。
【発明を実施するための形態】
【００１６】
以下、本発明の一実施形態について図面に基づいて説明する。
［プロジェクターの概略］
図１は、本実施形態に係るプロジェクター１を正面側から見た斜視図である。
本実施形態に係るプロジェクター１は、後述する光源装置４１から出射された光を変調して画像情報に応じた画像を形成し、当該画像をスクリーン等の被投射面上に拡大投射する短焦点型のプロジェクターである。このプロジェクター１は、図１に示すように外装筐体２、当該外装筐体２内に収納される装置本体３（図２参照）、及び、外装筐体２に取り付けられるレンズシャッター５を備える。
なお、このプロジェクター１は、所定の設置面に後述する底面部２Ｂを対向させて載置される正置き姿勢だけでなく、当該正置き姿勢とは上下が逆の逆置き姿勢でも使用できるように構成されている。
【００１７】
［外装筐体の構成］
外装筐体２は、全体略直方体形状を有し、本実施形態では合成樹脂により形成されている。この外装筐体２は、アッパーケース２１、ロアーケース２２、フロントケース２３及びリアケース２４が組み合わされて構成されている。
これらのうち、アッパーケース２１により、外装筐体２の天面部２Ａと、左右の両側面部２Ｅ及び２Ｆのそれぞれの一部とが構成される。また、ロアーケース２２により、外装筐体２の底面部２Ｂと、左右の両側面部２Ｅ及び２Ｆのそれぞれの一部とが構成される。
更に、フロントケース２３により、外装筐体２の正面部２Ｃが構成され、リアケース２４により、背面部２Ｄが構成される。
なお、以下の図及び説明において、Ｚ方向は、後述する投射光学装置４６から投射された光の進行方向（投射方向）を示し、Ｘ方向及びＹ方向は、当該Ｚ方向に直交し、かつ、互いに直交する方向を示す。これらのうち、Ｙ方向は、平面視でＺ方向が水平方向に沿うようにプロジェクター１が配置された場合に、鉛直方向とは反対方向である上方（すなわち、外装筐体２の底面部２Ｂから天面部２Ａに向かう方向）を示し、Ｘ方向は、Ｚ方向側（光の進行方向側）から見て左から右に向かう方向を示す。
【００１８】
［開口部の構成］
外装筐体２を構成するフロントケース２３は、図１に示すように、上記投射光学装置４６から投射される画像が通過する開口部２３１を有する。すなわち、開口部２３１は、投射光学装置４６の一部、すなわち、後述する投射レンズ４６１を露出させる。
このような開口部２３１は、図１に示すように、Ｙ方向側の寸法よりＹ方向とは反対方向側の寸法が小さく形成されている。すなわち、開口部２３１は、プロジェクター１が所定の設置面に設置された際の下部が上部より小さい形状に形成されている。具体的に、投射レンズ４６１は、Ｚ方向側から見たときに、円形状をＸ方向に沿う直線で切り欠いた略半円形状である。この投射レンズ４６１から出射される光の出射範囲は、開口部２３１より若干小さい範囲である。換言すると、開口部２３１は、投射レンズ４６１から出射される光を遮らない形状に形成されている。
【００１９】
また、開口部２３１には、レンズシャッター５が取り付けられている。このレンズシャッター５については詳しくは後述するが、当該レンズシャッター５が開口部２３１を開放する位置に移動すると、開口部２３１のＹ方向とは反対方向側の一部の領域以外の領域が開放される。これにより、投射レンズ４６１から投射される画像が開口部２３１を介して投射される。
【００２０】
［装置本体の構成］
図２は、外装筐体２内に設けられる装置本体３の構成を示す模式図である。
装置本体３は、図２に示すように、画像を形成及び投射する光学ユニット４を備える。
この他、装置本体３は、図示を省略するが、音声出力ユニット、プロジェクター１全体を制御する制御ユニット、プロジェクター１の構成部品に電力を供給する電源ユニット、及び、冷却対象を冷却する冷却ユニットを備える。
【００２１】
［光学ユニットの構成］
光学ユニット４は、不図示の制御ユニットによる制御の下、画像情報に応じた画像を形成及び投射する。この光学ユニット４は、光源装置４１、照明光学装置４２、色分離装置４３、リレー装置４４、電気光学装置４５及び投射光学装置４６と、これらを支持する光学部品用筐体４７と、を備える。
【００２２】
光源装置４１は、光源ランプ４１１及びリフレクター４１２を有し、照明光学装置４２に光束を出射する。
照明光学装置４２は、光源装置４１から出射された光束の中心軸に対する直交面内の照度を均一化する。この照明光学装置４２は、光源装置４１からの光の入射順に、第１レンズアレイ４２１、調光装置４２５、第２レンズアレイ４２２、偏光変換素子４２３及び重畳レンズ４２４を有する。
【００２３】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２４】
電気光学装置４５は、分離された各色光を画像情報に応じてそれぞれ変調した後、変調された各色光を合成する。この電気光学装置４５は、色光ごとに設けられる３つのフィールドレンズ４５１、３つの入射側偏光板４５２、光変調装置としての３つの液晶パネル４５３（赤、緑及び青用の液晶パネルをそれぞれ４５３Ｒ，４５３Ｇ，４５３Ｂとする）及び３つの出射側偏光板４５４と、変調された各色光を合成する色合成光学装置としてのクロスダイクロイックプリズム４５５とを有する。
投射光学装置４６は、合成された色光（画像を形成する光束）を上記被投射面上に拡大投射する投射レンズ４６１と、鏡筒４６２と、を備えた組レンズとして構成されている。このような投射光学装置４６（詳しくは投射レンズ４６１）により投射される光は、フロントケース２３の開口部２３１（図３参照）から投射される。
また、投射レンズ４６１は、投射方向側、すなわち、Ｚ方向側の端縁が投射方向側に膨出した形状を有する。すなわち、本実施形態のプロジェクター１は、短焦点型のプロジェクターであるため、投射レンズ４６１は、通常のプロジェクターに用いられる略円形のレンズに比べて曲率半径が小さく、投射レンズ４６１自体が大きい。この投射レンズ４６１は、Ｚ方向側から見たときに、円の一端側をＸ方向に沿う直線で切り欠かれた略半円形状に構成される（図７及び図８参照）。また、投射レンズ４６１のＹ方向とは反対方向側には、空間が設けられている。すなわち、この投射レンズ４６１のＹ方向とは反対方向側の空間は、レンズシャッター５が収納される収納領域２３Ａとなる。なお、収納領域２３Ａについては、後に詳述する。
【００２５】
光学部品用筐体４７は、詳しい図示を省略するが、各種光学部品を収納する溝部が形成された部品収納部材と、当該部品収納部材に形成された部品収納用の開口部を閉塞する蓋状部材と、投射光学装置４６を支持する支持部材と、を備える。
この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２６】
［レンズシャッターの構成］
図３は、開口部が閉塞された状態のプロジェクター１を正面部２Ｃ側から見た斜視図である。
外装筐体２を構成するフロントケース２３には、図３に示すように、レンズシャッター５が取り付けられている。レンズシャッター５は、開口部２３１を閉塞する位置で維持されると、開口部２３１の全領域が閉塞される。すなわち、レンズシャッター５は、開口部２３１を閉塞することにより投射レンズ４６１を保護する機能を有する。
【００２７】
図４は、開口部２３１を閉塞した状態のレンズシャッター５を正面部２Ｃ側から見た平面図である。
レンズシャッター５は、本発明のシャッターに相当し、上記開口部２３１を開放及び閉塞する機能を有する。開口部２３１を閉塞した状態のレンズシャッター５は、図４に示すように、上記開口部２３１の開口面の形状に合わせた形状に形成され、Ｙ方向とは反対方向側の寸法がＹ方向側の寸法より小さく形成されている。すなわち、開口部２３１を閉塞する状態のレンズシャッター５は、フロントケース２３の開口部２３１と略同形状に形成され、かつ、開口部２３１より若干大きな寸法で形成されている。
【００２８】
このレンズシャッター５は、図４に示すように、複数の羽根部材に相当する第１羽根部材５１及び第２羽根部材５２を備えている。これら第１羽根部材５１及び第２羽根部材５２は、例えば、合成樹脂により形成されている。また、第１羽根部材５１は、投射レンズ４６１側、すなわち、Ｚ方向と反対方向側に配置される。また、第２羽根部材５２は、第１羽根部材５１に対して、投射レンズ４６１とは反対側、すなわち、Ｚ方向側に配置される。また、第１羽根部材５１及び第２羽根部材５２は、投射レンズ４６１の膨出部分におけるＺ方向側の面の形状に沿った形状に形成される（図７及び図８参照）。
【００２９】
図５は、開口部２３１を開放した状態のレンズシャッター５を正面部２Ｃ側から見た平面図である。
第１羽根部材５１は、Ｚ方向側の面である表面５１ＡのＹ方向側の端部に、当該Ｚ方向に向けて突出する操作部５１１を有する。この操作部５１１は、第２羽根部材５２のＹ方向側の面である上端面５２１に当接するようになっている。これにより、操作者が第１羽根部材５１の操作部５１１を操作すると、レンズシャッター５は、図５に示す状態となる。すなわち、レンズシャッター５が開口部２３１を開放する状態となった場合、第１羽根部材５１及び第２羽根部材５２は、Ｚ方向から見てそれぞれ重なった状態となる。
【００３０】
図６は、レンズシャッター５が収納領域２３Ａに収納された状態のプロジェクター１を正面部２Ｃ側から見た平面図である。
フロントケース２３における開口部２３１のＹ方向と反対側、すなわち、投射レンズ４６１をＺ方向側から見て、円の一端側が切り欠かれた側の位置には、収納領域２３Ａが設けられている。この収納領域２３Ａには、図６に示すように、第１羽根部材５１及び第２羽根部材５２が重なった状態で収納される。また、開口部２３１を開放している状態の第１羽根部材５１及び第２羽根部材５２の重なり範囲（図５参照）は、開口部２３１を閉塞している状態の第１羽根部材５１及び第２羽根部材５２の重なり範囲（図４参照）より大きい。すなわち、レンズシャッター５は、上記収納領域２３Ａに収納される際には、開口部２３１を閉塞している状態より小さくなる。これにより、外装筐体２（フロントケース２３）における収納領域２３Ａを小さくできる。
【００３１】
一方、第１羽根部材５１の操作部５１１及び第２羽根部材５２の上端面５２１の一部は、当該開口部２３１のＹ方向側の領域で、かつ、Ｚ方向と反対側の領域に配置される。すなわち、開口部２３１が開放された状態であっても、第１羽根部材５１の操作部５１１は、収納領域２３Ａに収納されていない。これにより、操作者は、開口部２３１が開放された状態であっても、操作部５１１を容易に保持できる。
【００３２】
図７は、レンズシャッター５が開口部２３１を閉塞している状態のプロジェクター１の投射光学装置４６の中心軸を含むＹＺ平面での断面を右側面部２Ｆ側から見た断面図であり、図８は、レンズシャッター５が開口部２３１を開放している状態のプロジェクター１投射光学装置４６の中心軸を含むＹＺ平面での断面を右側面部２Ｆ側から見た断面図である。なお、図７及び図８は、フロントケース２３を取り外した状態のプロジェクター１である。
第１羽根部材５１は、図７及び図８に示すように、操作部５１１、係合部５１２及び当接部５１３を有する。
操作部５１１は、前述したように、操作者により保持される部分であり、第１羽根部材５１の表面５１ＡのＹ方向側の端部から当該表面５１Ａから離れる方向に突出する板状に形成されている。
係合部５１２は、第１羽根部材５１の裏面５１Ｂの操作部５１１に対向する位置から当該裏面５１Ｂから離れる方向に突出する形状である。この係合部５１２は、レンズシャッター５が開口部２３１を閉塞する際に、外装筐体２内に配置される係止部４６３により係止される部位である。
当接部５１３は、第１羽根部材５１の表面５１Ａから第２羽根部材５２側に突出する形状であり、後述する第２羽根部材５２の被当接部５２２と当接する部位である。この当接部５１３は、第１羽根部材の５１のＹ方向とは反対方向側（開口部２３１を開放する方向側）の端部に設けられている。
【００３３】
第２羽根部材５２は、上端面５２１及び被当接部５２２を有する。
上端面５２１は、第２羽根部材５２のＹ方向側の端面であり、上記操作部５１１が当接する部位である。
被当接部５２２は、第２羽根部材５２の裏面５２Ｂから第１羽根部材５１側に突出する形状であり、第１羽根部材５１の当接部５１３と当接する部位である。この被当接部５２２は、第２羽根部材５２のＹ方向側（開口部２３１を閉塞する方向側）の端部から若干Ｙ方向と反対方向側の位置に配置されている。すなわち、上端面５２１より若干Ｙ方向と反対方向側の位置に被当接部５２２が設けられているので、図７に示すように、レンズシャッター５が開口部２３１を閉塞する状態である場合に、Ｚ方向側から当該レンズシャッター５を見た場合に、当該被当接部５２２が見えづらくなっている。このため、レンズシャッター５の外観を向上できる。
【００３４】
［レンズシャッターの開放方法］
レンズシャッター５を構成する第１羽根部材５１及び第２羽根部材５２は、図７及び図８に示すように、投射レンズ４６１から投射される方向に直交するＸ方向に沿う直線を中心Ｐとする回動方向Ｓに沿って、開口部２３１を閉塞する閉塞方向及び当該開口部２３１を開放する方向に移動する。なお、回動方向Ｓのうち、レンズシャッター５により開口部２３１を閉塞する方向を閉塞方向Ｓ１とし、当該閉塞方向Ｓ１の反対方向を開放方向Ｓ２とする。
具体的に、操作者は、図７に示す状態のレンズシャッター５の第１羽根部材５１の操作部５１１を保持する。そして、操作者が操作部５１１を保持した状態で、当該操作部５１１を開放方向Ｓ２に移動させると、係止部４６３により係止された係合部５１２が当該係止部４６３を乗り越えて、開放方向Ｓ２に移動する。そして、第１羽根部材５１は、第２羽根部材５２の被当接部５２２にガイドされ、当該第２羽根部材５２に沿って開放方向Ｓ２に移動する。このようにして、第１羽根部材５１が開放方向Ｓ２に移動すると、当該操作部５１１が第２羽根部材５２の上端面５２１に当接する。この操作部５１１が第２羽根部材５２の上端面５２１に当接した状態で、更に当該操作部５１１を開放方向Ｓ２に移動させると、当該操作部５１１に当接した第２羽根部材５２が第１羽根部材５１とともに、開放方向Ｓ２に移動し、図８に示す状態となる。
【００３５】
［レンズシャッターの閉塞方法］
また、操作者は、図８に示す状態のレンズシャッター５の第１羽根部材５１の操作部５１１を保持した状態で、当該操作部５１１を閉塞方向Ｓ１に移動させる。これにより、第１羽根部材５１は、第２羽根部材５２の被当接部５２２にガイドされ、当該第２羽根部材５２に沿って閉塞方向Ｓ１に移動する。そして、第１羽根部材５１が上記閉塞方向Ｓ１に沿って移動すると、当該第１羽根部材５１の当接部５１３が被当接部５２２に当接する。この当接部５１３が被当接部５２２に当接した状態で、更に操作部５１１を閉塞方向Ｓ１に移動させると、当該当接部５１３及び被当接部５２２が当接しているので、第２羽根部材５２も第１羽根部材５１とともに、閉塞方向Ｓ１に移動する。更に、操作部５１１を閉塞方向Ｓ１に操作すると、係合部５１２が係止部４６３に当接する。そして、この状態で更に操作部５１１を閉塞方向Ｓ１に移動させると、係合部５１２が係止部４６３を乗り越えて、当該係止部４６３に係止され、図７に示す状態となる。
【００３６】
［実施形態の効果］
本実施形態に係るプロジェクター１によれば、以下の効果を奏する。
本実施形態によれば、レンズシャッター５を構成する第１羽根部材５１及び第２羽根部材５２は、開口部２３１を開放する際に、当該開口部２３１を閉塞する場合に互いに重なる範囲より大きな範囲にて重なって収納されることとなる。これによれば、外装筐体２において第１羽根部材５１及び第２羽根部材５２が収納されるスペースを小さくできる。従って、プロジェクター１を小型化できる。
【００３７】
第１羽根部材５１及び第２羽根部材５２が投射レンズ４６１の膨出部分に沿う形状に形成され、これら各羽根部材５１，５２は、上記回動方向Ｓに沿って移動する。これによれば、上記板状のシャッターが用いられる場合に比べて、投射レンズ４６１におけるＺ方向側の面と各羽根部材５１，５２との距離を短縮できる。従って、これら投射レンズ４６１及びレンズシャッター５を収納する外装筐体２を小さくできる。
【００３８】
外装筐体２が有する係止部４６３と、第１羽根部材５１の有する係合部５１２とにより、開口部２３１の閉塞状態を維持できる。従って、開口部２３１をレンズシャッター５により確実に閉塞できる。
【００３９】
例えば、第２羽根部材５２が第１羽根部材５１より投射レンズ４６１側に位置している場合、第１羽根部材５１に配置された操作部５１１を上記開放方向Ｓ２に移動させたとしても、当該操作部５１１は、第２羽根部材５２に当接しない。このため、当該第２羽根部材５２を第１羽根部材５１と同方向に移動させるためには、当該第２羽根部材５２に当接する構成を第１羽根部材５１に別途設ける必要がある。
これに対し、本実施形態によれば、第１羽根部材５１が第２羽根部材５２より投射レンズ４６１側に位置し、当該第１羽根部材５１が有する操作部５１１が、第２羽根部材５２に当接するので、当該操作部５１１を操作することにより、第２羽根部材５２を上記開放方向Ｓ２に移動させることができる。従って、第１羽根部材５１の構成を簡略化できるだけでなく、第１羽根部材５１の上記開放方向Ｓ２への移動に伴って第２羽根部材５２を同方向に確実に移動させることができる。
【００４０】
本実施形態では、第１羽根部材５１を上記閉塞方向Ｓ１に移動させると、第１羽根部材５１の当接部５１３が第２羽根部材５２の被当接部５２２に当接する。これによれば、第１羽根部材５１の上記閉塞方向Ｓ１への移動に伴って第２羽根部材５２を同方向に確実に移動させることができる。
【００４１】
第１羽根部材５１及び第２羽根部材５２は、投射方向側（Ｚ方向側）から見て、投射レンズ４６１の形状における切欠側（Ｙ方向とは反対方向側）の位置に収納される。これによれば、外装筐体２において使用されないスペースに当該第１羽根部材５１及び第２羽根部材５２を配置できる。従って、外装筐体２内のデッドスペースを活用して各羽根部材５１，５２を収納できるので、外装筐体２の小型化を促進でき、ひいては、プロジェクター１の小型化を促進できる。
［実施形態の変形］
【００４２】
本発明は、上記一実施形態に限定されるものではなく、本発明の目的を達成できる範囲での変形、改良等は本発明に含まれるものである。
上記実施形態では、レンズシャッター５は、複数の羽根部材として、第１羽根部材５１及び第２羽根部材５２を有することとした。しかしながら、本発明は、これに限らない。例えば、レンズシャッター５は、第１羽根部材５１及び第２羽根部材５２に加えて、第３羽根部材を備えてもよい。すなわち、レンズシャッター５は、２以上の羽根部材を備えていればよい。
【００４３】
上記実施形態では、第１羽根部材５１及び第２羽根部材５２は、投射レンズ４６１の膨出部分における画像が投射される方向（Ｚ方向）側の面に沿った形状であることとした。しかしながら、本発明は、これに限らない。例えば、第１羽根部材５１及び第２羽根部材５２は、板状であってもよい。これによれば、第１羽根部材及び第２羽根部材が板状であっても、収納領域２３Ａに収納される状態の第１羽根部材及び第２羽根部材の表面積が、開口部２３１を閉塞する状態の当該第１羽根部材及び第２羽根部材の表面積より小さくなるので、外装筐体２の収納スペースを小さくできる。
【００４４】
上記実施形態では、係止部４６３は、外装筐体２内に配置される投射レンズ４６１に接続されることとした。しかしながら、本発明は、これに限らない。例えば、外装筐体２を構成するフロントケース２３に係止部４６３が設けられるようにしてもよいし、アッパーケース２１に当該係止部４６３が設けられるようにしてもよい。
【００４５】
上記実施形態では、第１羽根部材５１が第２羽根部材５２より投射レンズ４６１側に配置されることとした。しかしながら、本発明は、これに限らない。例えば、第２羽根部材５２が第１羽根部材５１より投射レンズ４６１側に配置されていてもよい。この場合、第２羽根部材５２に当接する当接部を第１羽根部材５１に設ければよい。これによれば、第１羽根部材５１に配置された操作部５１１を開放方向Ｓ２に移動させることにより、第１羽根部材５１及び第２羽根部材５２を開放方向Ｓ２に移動させることができる。
【００４６】
上記実施形態では、第１羽根部材５１は、当接部５１３を有し、第２羽根部材５２は、被当接部５２２を有し、当接部５１３と被当接部５２２とが当接することとした。しかしながら、本発明は、これに限らない。例えば、当接部５１３及び被当接部５２２を各羽根部材５１，５２が備えなくてもよい。この場合、例えば、第２羽根部材５２に操作部を更に設ければ、第１羽根部材５１に設けられた操作部５１１と、当該第２羽根部材５２の操作部とをそれぞれ操作することにより、開口部２３１を開放及び閉塞できる。
【００４７】
上記実施形態では、開口部２３１を開放した状態でレンズシャッター５（第１羽根部材５１及び第２羽根部材５２）を係止する係止部を設けていなかった。しかしながら、本発明は、これに限らない。例えば、ロアーケース２２若しくはフロントケース２３に開口部２３１を開放した状態で第１羽根部材５１の当接部５１３を係止する係止部を更に設けることとしてもよい。これによれば、開口部２３１を開放した状態でレンズシャッター５を係止できるので、例えば、プロジェクター１を天吊り状態で使用した状態であっても、開口部２３１を開放した状態を維持できる。
【００４８】
上記実施形態では、開口部２３１を開放及び閉塞する際に、第１羽根部材５１及び第２羽根部材５２を開放方向Ｓ２及び閉塞方向Ｓ１のいずれかの方向に移動させる際に、第１羽根部材５１及び第２羽根部材５２をガイドするガイド部材（例えば、ガイド溝等）を設けないこととした。しかしながら、本発明は、これに限らない。例えば、第１羽根部材５１及び第２羽根部材５２の少なくとも一方に上記開放方向Ｓ２及び閉塞方向Ｓ１のいずれかの方向に移動させるガイド部材を設けることとしてもよい。これによれば、より安定した状態で第１羽根部材５１及び第２羽根部材５２を移動させることができる。
【００４９】
上記実施形態では、収納領域２３Ａをフロントケース２３における開口部２３１のＹ方向とは反対方向側、すなわち、投射レンズ４６１をＺ方向側から見て、円の一端側を切り欠いた側の領域に設けることとした。しかしながら、本発明は、これに限らない。例えば、収納領域を開口部２３１のＹ方向側、Ｘ方向側及びＸ方向とは反対方向側のいずれかに設けるようにしてもよい。
【００５０】
上記実施形態では、短焦点型のプロジェクター１を例にとって説明した。また、第１羽根部材５１及び第２羽根部材５２は、投射レンズ４６１の膨出部分の形状に沿う形状であることとした。しかしながら、本発明は、これに限らない。例えば、レンズシャッター５は、当該投射レンズ４６１と異なる形状のレンズを備えるプロジェクターにも適用できる。すなわち、第１羽根部材５１及び第２羽根部材５２の形状を上記異なる形状のレンズに沿う形状に形成すれば、どのような用途のプロジェクターであっても適用できる。
【００５１】
上記各実施形態では、光学ユニット４は背面部２Ｄ及び右側面部２Ｆのそれぞれに沿う略Ｌ字状に構成されていたが、本発明はこれに限らない。例えば、略Ｕ字状に構成された光学ユニットを採用してもよい。
上記各実施形態では、光束入射面と光束射出面とが異なる透過型の液晶パネル４５３を用いていたが、光入射面と光射出面とが同一となる反射型の液晶パネルを用いてもよい。
【００５２】
上記各実施形態では、プロジェクター１は、３つの液晶パネル４５３Ｒ，４５３Ｇ，４５３Ｂを備えるとしたが、本発明はこれに限らない。すなわち、２つ以下、あるいは、４つ以上の液晶パネル４５３を用いたプロジェクターにも、本発明を適用可能である。
上記各実施形態では、光入射面と光出射面とが異なる透過型の液晶パネル４５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００５３】
上記実施形態では、光源装置４１は、光源ランプ４１１と、光源ランプ４１１から出射された光を反射させるリフレクター４１２とを有する構成とした。しかしながら、本発明はこれに限らない。例えば、光源ランプの数は２つでもよく、３つ以上でもよい。また、光源装置４１は、光源ランプ４１１を有する構成に限らず、ＬＥＤ（Light Emitting Diode）やＬＤ（Laser Diode）等の固体光源を有する構成としてもよい。
【符号の説明】
【００５４】
１…プロジェクター、２…外装筐体、２３１…開口部、２３Ａ…収納領域、４６…投射光学装置、４６１…投射レンズ、４６３…係止部、５…レンズシャッター（シャッター）、５１…第１羽根部材、５１１…操作部、５１２…係合部、５１３…当接部、５２…第２羽根部材、５２１…上端面、５２２…被当接部、Ｐ…中心、Ｓ…回動方向、Ｓ１…閉塞方向、Ｓ２…開放方向。
【図１】
2016133755.tif 000003
【図２】
2016133755.tif 000004
【図３】
2016133755.tif 000005
【図４】
2016133755.tif 000006
【図５】
2016133755.tif 000007
【図６】
2016133755.tif 000008
【図７】
2016133755.tif 000009
【図８】
2016133755.tif 000010